(57)【特許請求の範囲】
【請求項１】
一連番号情報と区分情報とを含む番号情報の管理方式において、
所定の順序で並べた複数の前記区分情報の各々に、各区分情報を示す数値情報、及びその次の区分情報を示す数値情報を夫々対応付けて保持する第１の手段と、
複数の一連番号情報を、所定の複数の区分情報の集まりにより形成したグループ別に保持すると共に、各グループにおける直前に交付した番号情報が含む区分情報を示す数値情報を、更新可能に保持する第２の手段と、
番号情報の交付要求に伴って指定された一連番号情報及びグループに夫々対応する一連番号情報及びグループを、前記第２の手段中から検索する手段と、
前記検索されたものの中で、直前に交付した番号情報が含む区分情報を示す数値情報の次の数値情報を前記第１の手段から読出し、前記第２の手段に保持される数値情報を更新する手段と、
を備える番号情報の管理方式。
【請求項２】
請求項１記載の方式において、
前記更新後の数値情報に対応する区分情報を前記第１の手段から抽出し、その区分情報が前記一連番号情報に付与されたものを、交付すべき番号情報に決定する手段を更に備える番号情報の管理方式。
【請求項３】
請求項１又は請求項２記載の方式において、
前記交付が決定された番号情報を保持する手段を更に備える番号情報の管理方式。
【請求項４】
請求項３記載の方式において、
前記交付が決定された番号情報をプリントアウトする手段を更に備える番号情報の管理方式。
【請求項５】
請求項１記載の方式において、
前記番号情報が、自動車の登録番号であり、前記区分情報が、最大で２６種類の仮名文字であり、前記各グループが、夫々所定の複数種類の仮名文字を含み、且つ、用途別、８種類の車種別に形成される番号情報の管理方式。
【請求項６】
請求項１記載の方式において、
前記各区分情報の付与が、前記各グループ毎に最初の区分情報から順に行われ、最後の区分情報の付与が終了すると、再び最初の区分情報に戻って前記各グループにおける全部の一連番号情報への付与が終了するまで継続される番号情報の管理方式。
【請求項７】
請求項１乃至請求項６のいずれか１項記載の方式において、
前記区分情報及び前記各数値情報が、仮名文字コードマスタに設定されており、前記第１の手段が、選択的に利用可能なように複数種類の仮名文字コードマスタを保持する番号情報の管理方式。
【請求項８】
請求項１記載の方式において、
前記第２の手段が、前記区分情報と共に前記各一連番号情報に付与されることにより自動車の登録番号を生成し得る最大９８種類の分類番号をも保持する番号情報の管理方式。
【請求項９】
請求項８記載の方式において、
同一分類番号の付与が、各グループにおいて最初の区分情報を付与したときから最後の区分情報を付与するまでの間継続される番号情報の管理方式。
【請求項１０】
請求項８又は請求項９記載の方式において、
前記分類番号が、前記更新後の数値情報が更新前の数値情報より小さくなったとき、カウントアップされる番号情報の管理方式。
【請求項１１】
請求項１０記載の方式において、
前記カウントアップにより生成した新たな分類番号の付与が、各グループにおいて新たに最初の区分情報の付与を確認したときから最後の区分情報の付与を確認するまでの間継続される番号情報の管理方式。
【請求項１２】
請求項１記載の方式において、
前記番号情報の交付要求が、ＯＣＲ（光学的読取装置）を通じて入力される番号情報の管理方式。
【請求項１３】
サーバと該サーバの管理下で情報を保持するハードディスクにより、一連番号情報と区分情報とを含む番号情報の管理を行うようにした方法において、
ハードディスクが、所定の順序で並べた複数の前記区分情報の各々に、各区分情報を示す数値情報、及びその次の区分情報を示す数値情報を夫々対応付けて保持する第１の過程と、
ハードディスクが、複数の一連番号情報を、所定の複数の区分情報の集まりにより形成したグループ別に保持すると共に、各グループにおける直前に交付した番号情報が含む区分情報を示す数値情報を、更新可能に保持する第２の過程と、
サーバが、番号情報の交付要求に伴って指定された一連番号情報及びグループに夫々対応する一連番号情報及びグループを、前記ハードディスクから検索する第３の過程と、
サーバが、前記検索されたものの中で、直前に交付した番号情報が含む区分情報を示す数値情報の次の数値情報を前記ハードディスクから読出し、前記ハードディスクに保持される数値情報を更新する第４の過程と、
を備える番号情報の管理方法。
【請求項１４】
一連番号情報と区分情報とを含む番号情報の管理方式において、
所定の順序で並べた複数の前記区分情報の各々に、各区分情報を示す数値情報、及びその次の区分情報を示す数値情報を夫々対応付けて保持する第１の手段と、
複数の一連番号情報を、所定の複数の区分情報の集まりにより形成したグループ別に保持すると共に、各グループにおける直前に交付した番号情報が含む区分情報を示す数値情報を、更新可能に保持する第２の手段と、
番号情報の交付要求に伴って指定された一連番号情報及びグループに夫々対応する一連番号情報及びグループを、前記第２の手段中から検索する手段と、
前記検索されたものの中で、直前に交付した番号情報が含む区分情報を示す数値情報の次の数値情報を前記第１の手段から読出し、前記第２の手段に保持される数値情報を更新する手段と、
を備える番号情報の管理方式における前記各手段としてコンピュータを動作させるためのコンピュータプログラムを担持したコンピュータ読み取り可能な記録媒体。
【発明の詳細な説明】
【０００１】
【発明の技術分野】
本発明は、番号情報の管理方法及び方式の改良に関するものである。
【０００２】
【従来の技術】
自動車の登録番号は、ユーザが指定可能な１から９９９９までの一連番号と、最大で９８種類の分類番号と、最大で２６種類の仮名文字とを含み、情報処理装置を利用して、各一連番号毎に分類番号及び仮名文字を夫々付与することにより生成される。
【０００３】
【発明が解決しようとする課題】
ところで、上記生成過程においては、自家用、事業用等の自動車の用途毎に形成した各グループに予め所定数の仮名文字が割当てられ、各仮名文字は夫々のグループを構成する複数の一連番号の各々に対し、最初の仮名文字から順に付与される。そして、各グループにおける最後の仮名文字の付与が終了すると、再び最初の仮名文字に戻り、最初の仮名文字から順に仮名文字の付与が行われる。一方、分類番号については、各グループにおいて、最後の仮名文字の付与が終了するまでは同一の分類番号が付与され、その終了を確認したときカウントアップ（インクリメント）される。そして、このカウントアップにより生成された新たな分類番号が、次に最後の仮名文字の付与が終了するまで残りの一連番号に付与されることになる。
【０００４】
しかし、上述した態様により登録番号の生成を行うには、８種類しかない車種のみに着目して登録番号の生成を行う場合と比較すれば、情報処理の手間が約１０００倍以上も掛かるため、処理効率が良くないという問題がある。
【０００５】
また、各用途（自家用、事業用等）毎に割当てられる仮名文字の数や種類が異なる（例えば自家用であれば「さ」から「ろ」までの仮名文字のうち「わ」、「れ」、「よ」を除く２６文字、事業用であれば「あ」から「を」までの１０文字）。そのため、用途によって最初の仮名文字や最後の仮名文字は当然に相違するし、最初の仮名文字と最後の仮名文字との間に含まれる仮名文字の種類や数も当然に相違するから、仮名文字情報の処理に係る演算処理部の負荷が大きいという問題もある。
【０００６】
また、同一用途であっても、仮名文字の付与順序がナンバープレート付与の代行者（運輸省の外郭団体）毎に相違する場合があるので、これへの対処も容易でないという問題もある。
【０００７】
更に、付与した番号情報を記録するためのデータベースに、生成され得る全ての番号情報の保存が可能なように予め記憶エリアを設定しておくと、記憶容量の大きなデータベースを必要とするのみならず、番号情報の検索速度が遅くなるという問題もある。
【０００８】
従って本発明の目的は、番号情報の生成過程に必要な情報処理の効率を向上させることができ、且つ、情報処理の負荷を小さくすることができるようにすることにある。
【０００９】
また、本発明の別の目的は、番号情報の生成過程に必要な数値化不能な区分情報の付与において、付与順序が異なっても迅速に対処できるようにすることにある。
【００１０】
更に、本発明の別の目的は、生成された番号情報を記録するために大容量のデータベースを不要とし、且つ、番号情報の検索速度を向上させることができるようにすることにある。
【００１１】
本発明の第１の側面に従う番号情報の管理方式は、一連番号情報と区分情報とを含む番号情報に適用されるもので、所定の順序で並べた複数の上記区分情報の各々に、各区分情報を示す数値情報、及びその次の区分情報を示す数値情報を夫々対応付けて保持する第１の手段と、複数の一連番号情報を、所定の複数の区分情報の集まりにより形成したグループ別に保持すると共に、各グループにおける直前に交付した番号情報が含む区分情報を示す数値情報を、更新可能に保持する第２の手段と、番号情報の交付要求に伴って指定された一連番号情報及びグループに夫々対応する一連番号情報及びグループを、上記第２の手段中から検索する手段と、上記検索されたものの中で、直前に交付した番号情報が含む区分情報を示す数値情報の次の数値情報を上記第１の手段から読出し、上記第２の手段に保持される数値情報を更新する手段と、を備える。
【００１２】
上記構成によれば、第２の手段中から検索されたものの中で、直前に交付した番号情報が含む区分情報を示す数値情報の次の数値情報を第１の手段から読出し、第２の手段に保持される数値情報を更新することとした。そのため、更新された数値情報を参照すれば、次の一連番号情報に付与すべき区分情報が何かを容易に把握できる。よって、番号情報の生成過程に必要な情報処理の効率を向上させることができ、且つ、情報処理の負荷を小さくすることができる。
【００１３】
本発明の第１の側面に係る好適な実施形態では、更新後の数値情報に対応する区分情報を第１の手段から抽出し、その区分情報が一連番号情報に付与されたものを、交付すべき番号情報に決定する手段や、交付が決定された番号情報を保持する手段や、交付が決定された番号情報をプリントアウトする手段を更に備える。
【００１４】
これらの構成によれば、上記保持手段には、交付が決定された番号情報のみを保持するようにしているので、生成された番号情報を記録するために大容量のデータベースが不要であり、且つ、番号情報の検索速度を向上させることができる。
【００１５】
上述した番号情報は、例えば自動車の登録番号であり、上記区分情報は、最大で２６種類の仮名文字（平仮名又は英字）であり、上記各グループは、夫々所定の複数種類の仮名文字を含み、且つ、用途別、８種類の車種別に形成される。上述した各区分情報の付与は、各グループ毎に最初の区分情報から順に行われ、最後の区分情報の付与が終了すると、再び最初の区分情報に戻って各グループにおける全部の一連番号情報への付与が終了するまで継続される。また、上述した区分情報及び各数値情報は、仮名文字コードマスタに設定されており、第１の手段は、選択的に利用可能なように複数種類の仮名文字コードマスタを保持する。
【００１６】
上記構成によれば、仮名文字コードマスタが、選択的に利用可能なように第１の手段に複数種類保持されているので、番号情報の生成過程に必要な区分情報の付与において、付与順序が異なってもそれに対応する仮名文字コードマスタを選択すれば、上記区分情報の付与に迅速に対処できる。
【００１７】
第２の手段は、上述した区分情報と共に各一連番号情報に付与されることにより自動車の登録番号を生成し得る最大９８種類の分類番号をも保持する。同一分類番号の付与は、各グループにおいて最初の区分情報を付与したときから最後の区分情報を付与するまでの間継続される。分類番号は、更新後の数値情報が更新前の数値情報より小さくなったとき、即ち、各グループにおいて、割当てられた区分情報を複数の一連番号情報に順に付与し終わったとき、カウントアップされる。
【００１８】
カウントアップにより生成した新たな分類番号の付与は、各グループにおいて新たに最初の区分情報の付与を確認したときから最後の区分情報の付与を確認するまでの間継続される。なお、番号情報の交付要求は、ＯＣＲ（光学的読取装置）を通じて入力される。
【００１９】
本発明の第２の側面に従う番号情報の管理方法は、サーバと該サーバの管理下で情報を保持するハードディスクにより、一連番号情報と区分情報とを含む番号情報に適用されるもので、ハードディスクが、所定の順序で並べた複数の上記区分情報の各々に、各区分情報を示す数値情報、及びその次の区分情報を示す数値情報を夫々対応付けて保持する第１の過程と、ハードディスクが、複数の一連番号情報を、所定の複数の区分情報の集まりにより形成したグループ別に保持すると共に、各グループにおける直前に交付した番号情報が含む区分情報を示す数値情報を、更新可能に保持する第２の過程と、サーバが、番号情報の交付要求に伴って指定された一連番号情報及びグループに夫々対応する一連番号情報及びグループを、上記ハードディスクから検索する第３の過程と、サーバが、上記検索されたものの中で、直前に交付した番号情報が含む区分情報を示す数値情報の次の数値情報を上記ハードディスクから読出し、上記ハードディスクに保持される数値情報を更新する第４の過程と、を備える。
【００２０】
発明の第３の側面に従うコンピュータ読み取り可能な記録媒体は、一連番号情報と区分情報とを含む番号情報に適用されるもので、所定の順序で並べた複数の上記区分情報の各々に、各区分情報を示す数値情報、及びその次の区分情報を示す数値情報を夫々対応付けて保持する第１の手段と、複数の一連番号情報を、所定の複数の区分情報の集まりにより形成したグループ別に保持すると共に、各グループにおける直前に交付した番号情報が含む区分情報を示す数値情報を、更新可能に保持する第２の手段と、番号情報の交付要求に伴って指定された一連番号情報及びグループに夫々対応する一連番号情報及びグループを、上記第２の手段中から検索する手段と、上記検索されたものの中で、直前に交付した番号情報が含む区分情報を示す数値情報の次の数値情報を上記第１の手段から読出し、上記第２の手段に保持される数値情報を更新する手段と、を備える番号情報の管理方式における上記各手段としてコンピュータを動作させるためのコンピュータプログラムをコンピュータ読み取り可能に担持する。
【００２１】
【発明の実施の形態】
以下、本発明の実施の形態を、図面により詳細に説明する。
【００２２】
図１は、本発明の一実施形態に係る番号情報の管理方式を構築した情報処理装置のブロック図である。
【００２３】
上記装置は、図１に示すように、ＯＣＲ（光学的読取装置）１と、プリンタ３と、ハードディスク５と、サーバマシン（サーバ）７とを備える。
【００２４】
ＯＣＲ１は、サーバ７の管理下で、登録番号の交付対象である自動車の車種や、用途や、ユーザが指定した一連番号等の諸情報（自動車の登録番号の交付申請に必要な情報）を、それらが記載された所定のシートが挿入されることにより読取って、それらの情報に所定の処理を施した後、サーバ７に出力する。なお、上記シートには、自動車の登録番号の交付申請書としての書式が備えられているものとする。
【００２５】
プリンタ３もまた、サーバ７の管理下で駆動し、サーバ７において、ユーザに対し交付すべき（所謂払出すべき）登録番号情報として決定された番号情報を、プリントアウトする。なお、この登録番号情報は、分類番号と、仮名文字と、ユーザ指定の一連番号とを含む。登録番号情報については、後に詳述する。
【００２６】
ハードディスク５は、サーバ７の管理下で種々の情報を記憶すると共に、サーバ７からの読出要求に応じて対応する情報をサーバ７へ出力する。ハードディスク５内の情報の幾つかは、サーバ７により必要に応じて更新される。本実施形態では、ハードディスク５に、希望番号払出データベース（払出ＤＢ）、及び仮名文字コードマスタ（マスタ）が内蔵されると共に、必要に応じて予約済証管理データベース（管理ＤＢ）も内蔵される。払出ＤＢ、マスタ、及び管理ＤＢについては後に詳述する。
【００２７】
サーバ７は、ＯＣＲ１からの上記諸情報を入力すると、ハードディスク５内の払出ＤＢやマスタ等を参照しながら、自動車の登録番号を決定するのに必要な処理（後に詳述する）を実行する。そして、上記登録番号の所謂払出しを行うべく、上記決定した番号情報をプリンタ３を通じハードコピーとして出力すると共に、その番号情報を管理ＤＢに登録する。換言すれば、番号情報の登録番号としての払出しが行われる度に、その番号情報の管理ＤＢへの登録が行われる。
【００２８】
図２は、図１に記載した情報処理装置が内蔵する払出ＤＢを示す説明図である。
【００２９】
払出ＤＢは、図２に示すように、車種登録エリア９と、用途登録エリア１１と、一連番号登録エリア１３と、最終払出番号登録エリア１５とを少なくとも備える。
【００３０】
各車種登録エリア９には、各々のユーザが所有する自動車の車種を示す数値情報として、例えば図示の「１、５・・・」等が登録される。既述のように、自動車の車種は全部で８種類あるから、上記各車種登録エリア９には、「０１〜１０（但し０６、０７は除く。６及び７は欠番のため）までのいずれかの数値が登録されることになる。
【００３１】
用途登録エリア１１は、各車種登録エリア９に対応して設定されるもので、各用途登録エリア１１には、各々のユーザが所有する自動車の用途を示す情報として、例えば図示の「自家用、事業用、自家用」等が、上記各車種情報に夫々対応付けられて登録される。なお、これら各用途情報は、実際には数値化されており、例えば自家用には「１」が、事業用には「２」が夫々割当てられる。
【００３２】
一連番号登録エリア１３も、各車種登録エリア９、及び各用途登録エリア１１に対応して設定されるものである。各一連番号登録エリア１３には、各々のユーザが指定した（各々のユーザが払出しを所望する）一連番号情報として、例えば図示の「１〜９９９９」、「１〜」、「１〜２３４５〜」等が、上記各車種情報、上記各用途情報に夫々対応付けられて登録される。因みに上記一連番号は、東京地区において人気のある所謂品川ナンバと称される『品川〇〇〇―△―□□□□』を例にとれば、それを構成するナンバ『□□□□』を指している。そのナンバ『□□□□』が人気ナンバである場合には、申込者が多数いるために抽選等により当選者を決定する必要がある。
【００３３】
最終払出番号登録エリア１５も、各車種登録エリア９、各用途登録エリア１１、及び各一連番号登録エリア１３に対応して設定されるものである。各最終払出番号登録エリア１５には、直前に登録番号情報として払出しを行った番号情報を識別するための情報として、分類番号、及び特定の仮名文字を示す数値情報である仮名文字コードが上記各車種情報、上記各用途情報、及び上記各一連番号情報に夫々対応付けられて更新可能に登録される。
【００３４】
ここで、仮名文字については、車種及び用途別に割当てられる数や、種類が異なっているが、最大で２６種類まで使用可能になっている。仮名文字の各一連番号情報への付与は、車種及び用途別に、最初の仮名文字から１個ずつ順に夫々の一連番号情報に対して行われ、最後の仮名文字の付与が終了すると、再び最初の仮名文字に戻って、上記と同じ車種及び用途別に全部の一連番号情報への付与が終了するまで継続される。上記仮名文字コードは、
対応する仮名文字の一連番号情報への付与が行われる毎に、次の仮名文字コードに更新される。
【００３５】
また、分類番号とは、各仮名文字と共に各一連番号情報に付与されることで自動車の登録番号を構成するためのもので、分類番号の種類は車種毎に異なる。例えば車種４及び車種５の場合、５３０〜５９９と、７００〜７９９との１６９種類、それ以外の車種は、Ｘ３０〜Ｘ９８までの６９種類の分類番号が存在する。
【００３６】
分類番号の各一連番号情報に対する付与は、以下の態様で行われる。
【００３７】
即ち、上記車種及び用途別に割当てられた仮名文字の全部の付与が終了するまでは、各一連番号情報に対し同一の分類番号の付与が継続される。ここで、各仮名文字を示す仮名文字コードは、最初の仮名文字では最小値を取り、以下順位が下るにつれて大きくなって行き、最後の仮名文字では最大値を取る。よって、残りの一連番号情報に対し再び上記と同一の仮名文字の付与が開始された直後の仮名文字コードの値は最小であるから、直前のそれ（最大）よりも当然小さくなっている。再度の仮名文字の付与が開始されるのと同時に、上記分類番号のカウントアップによる新たな分類番号の生成が行われ、その分類番号により最終払出番号登録エリア１５の分類番号が更新されると共に、その分類番号の付与が開始される。この新たな分類番号の付与も、上記全部の仮名文字の付与が終了するまで継続され、その間最終払出番号登録エリア１５には、その新たな分類番号が保存される。この場合も、最初の仮名文字コードと最後の仮名文字コードとの関係や、分類番号の更新については上記と同様である。
【００３８】
図３は、図１に記載した情報処理装置が内蔵するマスタを示す説明図である。
【００３９】
マスタは、図３に示すように、仮名文字コード登録エリア１７と、仮名文字登録エリア１９と、次仮名文字コード登録エリア２１とを備える。ここで、上述した代行者として２つの機関Ａ、Ｂが並存する場合、機関Ａ、Ｂは、夫々同一のマスタを共有し、機関Ａはｉｎファイル（図示しない）に書込まれた機関Ａのための仮名文字払出順序情報に従って、例えば「わ」、「れ」の順に払出を行う。一方、機関Ｂは、上記とは逆に「れ」、「わ」の順に払出を行う。
【００４０】
仮名文字登録エリア１９には、予め上述した車種及び用途別に割当てられた各仮名文字として、例えば図示の「さ」、「ろ」、「あ」、「を」等が登録される。これらの仮名文字は、不揮発性の固定情報である。既述のように、自動車の登録番号を構成するための仮名文字として、最大で２６種類の仮名文字の使用が認められているので、上記各仮名文字登録エリア１９には、上述した各仮名文字を含む２６種類以上の仮名文字が個別に登録されることになる。
【００４１】
仮名文字コード登録エリア１７は、各仮名文字登録エリア１９に対応して設定されるもので、各仮名文字コード登録エリア１７には、上述した各仮名文字を示す数値情報（つまり、仮名文字コード）として、例えば図示の「０１〜２９、３０〜３９」等が登録される。
【００４２】
上記の例では、仮名文字「さ」に対応して仮名文字コード「０１」が、仮名文字「ろ」に対応して仮名文字コード「２９」が、仮名文字「あ」に対応して仮名文字コード「３０」が、更に、仮名文字「を」に対応して仮名文字コード「３９」が、夫々の仮名文字登録エリア１７に不揮発性の固定情報として登録される。仮名文字コード登録エリア１７は、上記最終払出番号登録エリア１５内の仮名文字コードの次仮名文字コードを取得するとき、サーバ７により参照されるものである。
【００４３】
次仮名文字コード登録エリア２１も、各仮名文字登録エリア１９に対応して設定されるもので、各次仮名文字コード登録エリア２１には、上述した各仮名文字の次仮名文字を示す数値情報（つまり、次仮名文字コード）として、例えば図示の「０２〜０１、３１〜３０」等が登録される。上記の例では、仮名文字「さ」に対応して次仮名文字コード「０２」が、仮名文字「ろ」に対応して次仮名文字コード「０１」が、仮名文字「あ」に対応して次仮名文字コード「３１」が、更に、仮名文字「を」に対応して次仮名文字コード「３０」が、夫々の次仮名文字コード登録エリア２１に登録される。これらの次仮名文字コードも、上述した各仮名文字コードと同様、不揮発性の固定情報として登録される。次仮名文字コード登録エリア２１は、現に付与を完了した仮名文字の次の仮名文字を検索し取得するとき、サーバ７により参照される。次仮名文字コード登録エリア２１から抽出された次仮名文字コードを用いて、サーバ７により、上記最終払出番号登録エリア１５内の次仮名文字コードが更新される。
【００４４】
図４は、図１に記載した情報処理装置が内蔵する管理ＤＢを示す説明図である。
【００４５】
管理ＤＢは、サーバ７が、分類番号と仮名文字と一連番号とを含む特定の番号情報を、自動車の登録番号情報として払出しを決定したとき設定されるものである。管理ＤＢは、図４に示すように、分類番号登録エリア２３と、仮名文字登録エリア２５と、車種登録エリア２７と、用途登録エリア２９と、一連番号登録エリア３１とを少なくとも備える。
【００４６】
仮名文字登録エリア２５を除く各エリア２７〜３１については、夫々既述のものと同様であるので説明を省略する。また、各エリア２５〜３１同士の関係についても、上述した内容と同様である。なお、各分類番号登録エリア２５には、上述した態様で夫々の一連番号に付与された分類番号が登録される。本実施形態では、大容量のデータベースを用いずとも、払出した番号情報が記録でき、且つ、番号情報の検索速度の向上が図れるようにするため、予め想定される上記各情報の全ての組合せに対応した登録エリアを設けるのではなく、番号情報の払出しが行われたとき、上記各エリアを設定することとした。
【００４７】
図５は、図１に記載した情報処理装置から払出される自動車の登録番号の一例を示す説明図である。
【００４８】
サーバ７が上述した処理動作を実行することにより、例えば図示の『品川  ５３１  さ  ２３４５』のような番号情報が、プリンタ３からハードコピーとして出力される。
【００４９】
図６は、図１に記載した情報処理装置の処理動作を示すフローチャートである。
【００５０】
図６において、車種、用途、ユーザが指定した一連番号等の登録番号払出しに必要な情報をＯＣＲ１から読込むと、サーバ７は、上記各情報が全て一致するエリアを上述した払出ＤＢ中から検索する（ステップＳ４１）。そして、そのエリアに登録されている最終払出番号（つまり、直前に払出しを行った番号情報を示す分類番号、及び仮名文字コード）を取得する（ステップＳ４２）。例えば、車種「５」、用途「自家用」、及び一連番号「２３４５」の情報をＯＣＲ１から読込んだとすれば、図３の払出ＤＢ中の、車種「５」、用途「自家用」、一連番号「２３４５」、分類番号「５３０」、及び仮名文字コード「２９」を含むエリアが検索され、「５３０」、及び「２９」が取得される。
【００５１】
次に、上述したマスタを参照して、上記取得した仮名文字コードに一致する仮名文字コードを有するエリアをマスタ中から検索し（ステップＳ４３）、検索したエリアが有する次仮名文字コードを取得する（ステップＳ４４）。上記の例では、仮名文字コード「２９」
（これは仮名文字「ろ」の仮名文字コードである）の次仮名文字コードである「０１」が取得される。
【００５２】
次に、その次仮名文字コードを自身の仮名文字コードとして持つ仮名文字を、マスタから取得すると共に（ステップＳ４５）、その仮名文字コードで、上記払出ＤＢ中の仮名文字コード（最終払出番号の一部）を更新する（ステップＳ４６）。上記の例では、仮名文字コード「０１」は仮名文字「さ」のものであり、上記払出ＤＢ中の仮名文字コードは「２９」から「０１」に更新される。この場合、更新前の仮名文字コード「２９」より更新後の仮名文字コード「０１」の方が小さいから、上記払出ＤＢ中の分類番号「５３０」がカウントアップされて「５３１」になり、最終的に分類番号「５３１」、仮名文字「さ」、車種「５」、用途「自家用」、一連番号「２３４５」の登録番号が生成される。
【００５３】
このようにして生成された登録番号が、プリントアウトされて払出されると、それがサーバ７により管理ＤＢに登録される（ステップＳ４７）。上記の例では、図５に示した『品川  ５３１  さ  ２３４５』が払出番号として管理ＤＢに登録される。
【００５４】
なお、上述した内容は、あくまで本発明の一実施形態に関するものであって、本発明が上記内容のみに限定されることを意味するものでないのは勿論である。
【００５５】
【発明の効果】
以上説明したように、本発明によれば、番号情報の生成過程に必要な情報処理の効率を向上させることができ、且つ、情報処理の負荷を小さくすることができるようにすることができる。
【００５６】
また、本発明によれば、番号情報の生成過程に必要な区分情報の付与において、付与順序が異なっても迅速に対処できるようにすることができる。
【００５７】
更に、本発明によれば、生成された番号情報を記録するために大容量のデータベースを不要とし、且つ、番号情報の検索速度を向上させることができるようにすることができる。
【図面の簡単な説明】
【図１】本発明の一実施形態に係る番号情報の管理方式を構築した情報処理装置のブロック図。
【図２】図１に記載の情報処理装置が内蔵する希望番号払出データベースを示す説明図。
【図３】図１に記載の情報処理装置が内蔵する仮名文字コードマスタを示す説明図。
【図４】図１に記載の情報処理装置が内蔵する予約済証管理データベースを示す説明図。
【図５】図１に記載の情報処理装置から払出される自動車の登録番号の一例を示す説明図。
【図６】図１に記載の情報処理装置の処理動作を示すフローチャート。
【符号の説明】
１  ＯＣＲ（光学的読取装置）
３  プリンタ
５  ハードディスク
７  サーバマシン（サーバ）
９、２７  車種登録エリア
１１、２９  用途登録エリア
１３、３１  一連番号登録エリア
１５  最終払出番号登録エリア
１７  仮名文字コード登録エリア
１９、２５  仮名文字登録エリア
２１  次仮名文字コード登録エリア
２３  分類番号登録エリア
【図１】
0003543936.tif 000002
【図２】
0003543936.tif 000003
【図３】
0003543936.tif 000004
【図４】
0003543936.tif 000005
【図５】
0003543936.tif 000006
【図６】
0003543936.tif 000007